Podtech/llm-jp-corpus-v4-ja_patent huggingface dataset:
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
ワイヤレス通信ネットワークの中の1つまたは複数の被スケジューリングエンティティのセットとの送信をスケジューリングエンティティがスケジューリングするための方法であって、
1つまたは複数の被スケジューリングエンティティの前記セットのうちの第1の被スケジューリングエンティティに対する第1のパケットのためのグラントをスケジューリングするステップであって、前記グラントがダウンリンク割当てまたはアップリンクグラントを備える、ステップと、
第1の制御情報を備える第1の制御チャネルを前記第1の被スケジューリングエンティティに送信するステップであって、前記第1の制御情報が前記第1のパケットのための前記グラントを備える、ステップと、
第2のパケットを前記グラントに追加するステップであって、前記第1のパケットがスロット内のリソース要素の第1のセット上でスケジューリングされ、前記第2のパケットが前記スロット内のリソース要素の第2のセット上でスケジューリングされる、ステップと、
グラント修正情報を生成するために前記グラントの複数のプロパティのうちの少なくとも1つのプロパティを修正するステップと、
第2の制御情報を備える第2の制御チャネルを前記第1の被スケジューリングエンティティに送信するステップとを備え、前記第2の制御情報が、少なくとも前記グラント修正情報を備え、前記第1の制御情報と別個のものである、方法。
【請求項２】
前記グラント修正情報が、前記第1のパケットの少なくとも一部をパンクチャリングする意図有りとの指示を備える、請求項1に記載の方法。
【請求項３】
前記第2のパケットが送信のための超高信頼性低レイテンシ通信(URLLC)トラフィックを備え、前記方法が、
パンクチャリングされたリソース情報を生成するために、前記第2のパケットの送信をサポートするのに必要とされる前記第1のパケットに割り振られるリソース要素(RE)の少なくとも一部を特定するステップと、
前記パンクチャリングされたリソース情報を備える前記グラント修正情報を生成するステップとをさらに備える、請求項2に記載の方法。
【請求項４】
前記第1のパケットが1つまたは複数の多入力多出力(MIMO)レイヤの第1のセット上でスケジューリングされ、前記第2のパケットが1つまたは複数のMIMOレイヤの第2のセット上でスケジューリングされる、請求項1に記載の方法。
【請求項５】
リソース要素の前記第1のセットがリソース要素の前記第2のセットの少なくとも一部を備える、請求項4に記載の方法。
【請求項６】
第1のハイブリッド自動再送要求(HARQ)プロセス識別子(ID)を前記第1のパケットに割り当てるステップと、
第2のHARQプロセスIDを前記第2のパケットに割り当てるステップとをさらに備える、請求項5に記載の方法。
【請求項７】
前記第1のHARQプロセスIDおよび前記第2のHARQプロセスIDが同じである、請求項6に記載の方法。
【請求項８】
ブロック肯定応答グラントを生成するために、前記第1のパケットおよび前記第2のパケットの各々のためのそれぞれの肯定応答ビットを備えるブロック肯定応答のためのリソースをスケジューリングするステップと、
前記第1の制御チャネル内で前記ブロック肯定応答グラントを前記第1の被スケジューリングエンティティに送信するステップとをさらに備える、請求項1に記載の方法。
【請求項９】
バンドリングされた肯定応答グラントを生成するために、前記第1のパケットと前記第2のパケットの両方のための単一の肯定応答ビットを備えるバンドリングされた肯定応答のためのリソースをスケジューリングするステップと、
前記第1の制御チャネルおよび前記第2の制御チャネルのうちの少なくとも1つの中で、前記バンドリングされた肯定応答グラントを前記第1の被スケジューリングエンティティに送信するステップとをさらに備える、請求項1に記載の方法。
【請求項１０】
前記バンドリングされた肯定応答グラントが、前記バンドリングされた肯定応答グラントと関連付けられるパケットの数の指示をさらに備える、請求項9に記載の方法。
【請求項１１】
前記第1のパケットおよび前記第2のパケットを前記第1の被スケジューリングエンティティに送信するステップと、
前記第1の被スケジューリングエンティティから、前記バンドリングされた肯定応答グラントを利用してバンドリングされた肯定応答情報を受信するステップと、
前記第1の被スケジューリングエンティティから、前記バンドリングされた肯定応答情報と関連付けられるパケットの数の指示を受信するステップとをさらに備える、請求項9に記載の方法。
【請求項１２】
前記第2のパケットを前記グラントに追加するステップが、
前記第1のパケットのために第1の変調およびコーディング方式(MCS)を選択するステップと、
前記第2のパケットのための第2のMCSを選択するステップとをさらに備え、前記第2のMCSが前記第1のMCSと異なる、請求項1に記載の方法。
【請求項１３】
前記第2のパケットを前記グラントに追加するステップが、
前記第1のパケットの第1の再送信シーケンス番号および前記第2のパケットの第2の再送信シーケンス番号を特定するステップをさらに備え、前記第1の再送信シーケンス番号が前記第2の再送信シーケンス番号と異なる、請求項1に記載の方法。
【請求項１４】
ワイヤレス通信ネットワークにおけるスケジューリングエンティティであって、
1つまたは複数の被スケジューリングエンティティのセットのうちの第1の被スケジューリングエンティティに対する第1のパケットのためのグラントをスケジューリングするための手段であって、前記グラントがダウンリンク割当てまたはアップリンクグラントを備える、手段と、
第1の制御情報を備える第1の制御チャネルを前記第1の被スケジューリングエンティティに送信するための手段であって、前記第1の制御情報が前記第1のパケットのための前記グラントを備える、手段と、
第2のパケットを前記グラントに追加するための手段であって、前記第1のパケットがスロット内のリソース要素の第1のセット上でスケジューリングされ、前記第2のパケットが前記スロット内のリソース要素の第2のセット上でスケジューリングされる、手段と、
グラント修正情報を生成するために前記グラントの複数のプロパティのうちの少なくとも1つのプロパティを修正するための手段と、
第2の制御情報を備える第2の制御チャネルを前記第1の被スケジューリングエンティティに送信するための手段とを備え、前記第2の制御情報が、少なくとも前記グラント修正情報を備え、前記第1の制御情報と別個のものである、スケジューリングエンティティ。
【請求項１５】
コンピュータ実行可能コードを記憶するコンピュータ可読記憶媒体であって、ワイヤレス通信ネットワークの中のスケジューリングエンティティに、請求項1から13のいずれか一項に記載の方法を行わせるためのコードを備える、コンピュータ可読記憶媒体。
【手続補正書】
【提出日】令和3年4月19日(2021.4.19)
【手続補正１】
【補正対象書類名】特許請求の範囲
【補正対象項目名】請求項１８
【補正方法】変更
【補正の内容】
【請求項１８】
使用目的が、距離測定、位置測定、娯楽用途、セキュリティ用途、ヒューマンマシンインターフェース用途、追跡用途、走査用途、立体視、写真撮影用途、イメージング用途またはカメラ用途、少なくとも１つの空間のマップを生成するためのマッピング用途、車両用のホーミングまたは追跡ビーコン検出器、熱特性を有する物体の距離および／または位置測定、マシンビジョン用途、ロボット用途、物流用途、車両用途、飛行機用途、船舶用途、宇宙船用途、ロボット用途、医療用途、スポーツ用途、建築用途、建設用途、製造用途、マシンビジョン用途；飛行時間型検出器・レーダ・ライダー（Ｌｉｄａｒ）・超音波センサ・または干渉法から選択された少なくとも１つの検知技術と組み合わせた使用；赤外線検出用途、熱検出用途、温度計用途、熱探求用途、火炎検出用途、火災検出用途、煙検出用途、温度感知用途、分光法用途、写真複写用途、ゼログラフィ用途、排気ガス監視用途、燃焼プロセス監視用途、汚染監視用途、工業プロセス監視用途、化学プロセス監視用途、食品加工プロセス監視用途、水質監視用途、大気質監視用途、品質管理用途、温度制御用途、動作制御用途、排気制御用途、ガス感知用途、ガス分析用途、動作感知用途、化学感知用途、からなる群から選択される使用目的のための検出器（１１０）を参照する請求項１から１６のいずれか１つに記載の検出器（１１０）の使用。
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
同期信号(SS)ブロック内の同期信号を受信するステップであって、前記同期信号が第1の帯域幅を有する、ステップと、
前記SSブロックの物理ブロードキャストチャネル(PBCH)の少なくとも一部分を受信するステップであって、前記PBCHが、実質的に前記第1の帯域幅内の第2の帯域幅を有する自己復号可能部分、および前記第2の帯域幅の外側かつPBCH帯域幅内にある帯域幅を有する外側部分を備え、前記PBCH帯域幅が前記第1の帯域幅よりも大きい、ステップと、
前記PBCHの前記自己復号可能部分を受信することに少なくとも部分的に基づいて前記PBCHを復号するステップと
を備える方法。
【請求項２】
前記PBCHの受信ビットが、ポーラ符号化されるとともにランダムにインターリーブされ、前記PBCHを復号するステップが、
前記PBCHの前記自己復号可能部分の中に含まれる前記PBCHのビットのセットに基づいて、前記PBCHのポーラ復号を実行するステップを備え、
前記PBCHの前記受信ビットがSランダムインターリーブされる、または三角形インターリーバ、畳み込みインターリーバ、矩形インターリーバ、または並列矩形インターリーバを使用してインターリーブされる、請求項1に記載の方法。
【請求項３】
前記PBCHの受信ビットがポーラ符号化または低密度パリティチェック(LDPC)符号化され、前記PBCHを復号するステップが、
前記第1の帯域幅の外側のトーンに関連する前記PBCHのビットを、ポーラ符号のパンクチャドビットとして特徴づけるステップ、または、
前記PBCHの前記自己復号可能部分の中に含まれる前記PBCHのビットのセットを、LDPCグラフの少なくとも自己復号可能コアにマッピングするステップを備える、
請求項1に記載の方法。
【請求項４】
前記PBCHの受信ビットが、ポーラ符号化、低密度パリティチェック(LDPC)符号化、またはテールバイティング畳み込みコード(TBCC)符号化され、前記PBCHの前記自己復号可能部分の中に含まれる前記PBCHの符号化ビットが、すべてのPBCH情報を含む、請求項1に記載の方法。
【請求項５】
前記PBCHの前記符号化ビットが、反復されたPBCH情報を含む、請求項4に記載の方法。
【請求項６】
前記SSブロックが前記PBCHの前記自己復号可能部分を含むという指示を基地局から受信するステップ
をさらに備え、前記指示が前記同期信号の中でシグナリングされる、請求項1に記載の方法。
【請求項７】
前記同期信号が、前記基地局のアンテナポートから送信される1次同期信号(PSS)、および前記基地局の前記アンテナポートから送信される2次同期信号(SSS)を備え、前記SSブロックが前記PBCHの前記自己復号可能部分を含むという前記指示を受信するステップが、
前記PSSと前記SSSとの間の差分を検出するステップを備える、
請求項6に記載の方法。
【請求項８】
前記第1の帯域幅の第1の指示、同期信号周波数の第2の指示、またはそれらの組合せのうちの少なくとも1つを基地局から受信するステップと、
前記UEの受信機を前記第1の帯域幅にチューニングするステップと
をさらに備える、請求項1に記載の方法。
【請求項９】
前記PBCHが、前記第2の帯域幅内で開始するとともに少なくとも前記第2の帯域幅内の同期信号周波数を中心として交互になるトーンマッピングに基づいて復号される、または、
前記PBCHが、前記第2の帯域幅内で開始するとともに前記第2の帯域幅内で連続するトーンマッピングに基づいて復号される、請求項1に記載の方法。
【請求項１０】
前記PBCHの前記自己復号可能部分が、少なくとも第1のシンボルおよび第2のシンボルの中で受信され、前記第1のシンボルと前記第2のシンボルの両方にレートマッチングされる、請求項1に記載の方法。
【請求項１１】
前記PBCHが、少なくとも第1のシンボルおよび第2のシンボルを占有し、前記第1のシンボルにレートマッチングされるとともに前記第2のシンボルの中で反復される、および、
前記PBCHが、複数のリソース要素の各々の中で擬似ランダム位相シフトに関連付けられる、請求項1に記載の方法。
【請求項１２】
ユーザ機器(UE)におけるワイヤレス通信のための装置であって、
同期信号(SS)ブロック内の同期信号を受信するための手段であって、前記同期信号が第1の帯域幅を有する、手段と、
前記SSブロックの物理ブロードキャストチャネル(PBCH)の少なくとも一部分を受信するための手段であって、前記PBCHが、実質的に前記第1の帯域幅内の第2の帯域幅を有する自己復号可能部分、および前記第2の帯域幅の外側かつPBCH帯域幅内にある帯域幅を有する外側部分を備え、前記PBCH帯域幅が前記第1の帯域幅よりも大きい、手段と、
前記PBCHの前記自己復号可能部分を受信することに少なくとも部分的に基づいて前記PBCHを復号するための手段と
を備える装置。
【請求項１３】
基地局におけるワイヤレス通信の方法であって、
同期信号(SS)ブロックの一部として少なくとも1つの同期信号を送信するステップであって、前記少なくとも1つの同期信号が第1の帯域幅を有する、ステップと、
前記第1の帯域幅よりも大きいPBCH帯域幅内で送信されるように物理ブロードキャストチャネル(PBCH)をフォーマットするステップであって、前記PBCHが、実質的に前記第1の帯域幅内にある第2の帯域幅内で送信されるべき自己復号可能部分、および前記第2の帯域幅の外側かつ前記PBCH帯域幅内にある帯域幅の中で送信されるべき外側部分を備える、ステップと、
前記SSブロックの一部として前記PBCHを送信するステップと
を備える方法。
【請求項１４】
基地局におけるワイヤレス通信のための装置であって、
同期信号(SS)ブロックの一部として少なくとも1つの同期信号を送信するための手段であって、前記少なくとも1つの同期信号が第1の帯域幅を有する、手段と、
前記第1の帯域幅よりも大きいPBCH帯域幅内で送信されるように物理ブロードキャストチャネル(PBCH)をフォーマットするための手段であって、前記PBCHが、実質的に前記第1の帯域幅内にある第2の帯域幅内で送信されるべき自己復号可能部分、および前記第2の帯域幅の外側かつ前記PBCH帯域幅内にある帯域幅の中で送信されるべき外側部分を備える、手段と、
前記SSブロックの一部として前記PBCHを送信するための手段と
を備える装置。
【請求項１５】
ユーザ装置または基地局のそれぞれにおけるワイヤレス通信のためのコンピュータ実行可能コードを記憶する非一時的コンピュータ可読記憶媒体であって、前記コードが、請求項1〜11または請求項13のいずれか一項に記載の方法をプロセッサに実行させる命令を含む、非一時的コンピュータ可読記憶媒体。
【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
成形されたシートメタル部品（２）から成る接触要素装置（１）であって、
互いに離間した少なくとも２つの接触要素（２０，３０）が、前記シートメタル部品（２）の平坦なベースプレート（１０）から延びるように前記シートメタル部品（２）から成形されており、前記第１の接触要素（２０）が、ピン形状の嵌合接点の挿入装着のための実質的に円筒形の接触部分（２２）として形成され、前記第２の接触要素（３０）が、２つの曲げ部分（３１，３２）を介してＳ字状に湾曲した接触ばねとして形成されており、当該接触ばねが、前記ベースプレート（１０）から離れる方向を向いたコンタクトドーム（３５）を形成している、接触要素装置。
【請求項２】
接触ばねとして形成された前記接触要素（３０）の前記第１の曲げ部分（３１）が、前記ベースプレート（１０）の側縁部（Ｋ）に直接連なっていることを特徴とする請求項１に記載の接触要素装置（１）。
【請求項３】
前記接触ばね（３０）の前記第２の曲げ部分（３２）が、前記ベースプレート（１０）の周辺輪郭内で横方向にオフセットしていることを特徴とする請求項１または２に記載の接触要素装置（１）。
【請求項４】
前記接触ばね（３０）のばねアーム部分（３３）が前記第２の曲げ部分（３２）に隣接しており、当該ばねアーム部分が、前記接触ばね（３０）が前記ベースプレート（１０）と連なっている範囲において、前記ベースプレート（１０）の幅よりも長いことを特徴とする請求項１〜３のいずれか１項に記載の接触要素装置（１）。
【請求項５】
前記接触ばね（３０）が、前記ベースプレート（１０）の側縁部（Ｋ）から直接離れるように延在していることを特徴とする請求項１〜４のいずれか１項に記載の接触要素装置（１）。
【請求項６】
前記第１の接触要素（２０）が、ほぼＵ字状に曲げられた曲げ部分（２１）を備えていることを特徴とする請求項１〜５のいずれか１項に記載の接触要素装置（１）。
【請求項７】
前記第１の接触要素（２０）が、その挿入側の端部において、ピン状接点を収容するための収容空間（２４）を形成するように互いに対向した少なくとも２つのばねアーム（２３ａ，２３ｂ）を備えていることを特徴とする請求項１〜６のいずれか１項に記載の接触要素装置（１）。
【請求項８】
前記第１の接触要素（２０）の前記両ばねアーム（２３ａ，２３ｂ）が、前記挿入側の端部の範囲において、前記接触部分（２２）への接続の範囲よりも小さな間隔を有していることを特徴とする請求項７に記載の接触要素装置（１）。
【請求項９】
当該接触要素装置（１）を接触体に固定するための保持ウェブ（４０）が、前記ベースプレート（１０）の前記側縁部（Ｋ）から離れるように延在していることを特徴とする請求項１〜８のいずれか１項に記載の接触要素装置（１）。
【請求項１０】
前記第１および第２の接触要素（２０，３０）、ならびに前記保持ウェブ（４０）は、全てが、ベースプレート（１０）から離れるように実質的に同じ方向に延在していることを特徴とする請求項１〜９のいずれか１項に記載の接触要素装置（１）。
【請求項１１】
前記第１および第２の接触要素（２０，３０）、ならびに前記保持ウェブ（４０）が、この順序で、相並んで前記ベースプレート（１０）に接続されていることを特徴とする請求項１〜１０のいずれか１項に記載の接触要素装置（１）。
【請求項１２】
前記第１の接触要素（２０）の挿入側の端部に、チューリップ状の開口部（２５）が形成されていることを特徴とする請求項１〜１１のいずれか１項に記載の接触要素装置（１）。
【請求項１３】
請求項１〜１２のいずれか１項に記載の接触要素装置（１）のほかに、当該接触要素装置（１）が配置されており、その結果、前記両接触要素装置（１）の前記コンタクトドーム（３５）どうしが互いに向き合っていることを特徴とする請求項１〜１２のいずれか１項に記載の接触要素装置（１）。
【手続補正２】
【補正対象書類名】明細書
【補正対象項目名】００３０
【補正方法】変更
【補正の内容】
【００３０】
本発明の別の態様は、請求項１〜１２のいずれか１項に記載の２つの接触要素装置が取り付けられたコンタクトキャリア（接触キャリア、接触支持部）が配置されたコネクタ、好ましくはエアバッグコネクタである。
【手続補正３】
【補正対象書類名】明細書
【補正対象項目名】００４６
【補正方法】変更
【補正の内容】
【００４６】
１              接触要素装置
２              シートメタル部品
１０            ベースプレート
２０            第１の接触要素／接触ばね
２１            曲げ部分
２２            接触部分
２３ａ，２３ｂ  ばねアーム
２４            収容空間
２５            開口部
３０            第２の接触要素／接触ばね
３１            第１の曲げ部分
３２            第２の曲げ部分
３３            ばねアーム部分
３５            コンタクトドーム
３６            直線部分
４０            保持ウェブ
４１            差込み側の端部
４２            ノーズ部
Ｋ              側縁部
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
適応型コモンモード調光器であって、
低い動作静止電流の第１のモード及びより高い動作静止電流の第２のモードを含む、コモンモード調光器を備え、
前記コモンモード調光器は、
２線式伝送線に結合するように、かつ
前記２線式伝送線上のコモンモード電圧を所望のコモンモード基準電圧に維持するように構成されており、
前記２線式伝送線は、差動信号を搬送するように構成されており、
前記コモンモード調光器は、前記２線式伝送線上の前記コモンモード電圧が高コモンモード基準電圧と低コモンモード基準電圧との間にあるときに、前記第１のモードで動作するように構成されており、
そうでないときは、前記コモンモード調光器は、前記第２のモードで動作するように構成されている、適応型コモンモード調光器。
【請求項２】
前記高コモンモード基準電圧は、電源電圧より小さく、
前記所望のコモンモード基準電圧は、前記高コモンモード基準電圧より小さく、
前記低コモンモード基準電圧は、前記所望のコモンモード基準電圧より小さく、かつ接地又は共通電源より大きい、請求項１に記載の適応型コモンモード調光器。
【請求項３】
前記所望のコモンモード基準電圧は、前記電源電圧の約半分である、請求項２に記載の適応型コモンモード調光器。
【請求項４】
バルク電流注入（ＢＣＩ）事象は、前記コモンモード電圧を、前記高コモンモード基準電圧を上回らせるように又は前記低コモンモード基準電圧を下回らせるように構成されており、
前記コモンモード調光器は、前記第２のモードにある、請求項１〜３のいずれか一項に記載の適応型コモンモード調光器。
【請求項５】
前記ＢＣＩ事象は、前記２線式伝送線上に少なくとも２００ミリアンペアのコモンモード電流をもたらすように構成されており、
前記コモンモード調光器は、前記コモンモード電圧が前記高コモンモード基準電圧より大きいときに又は前記低コモンモード基準電圧より小さいときに、前記第２のモードにあるように構成されている、請求項４に記載の適応型コモンモード調光器。
【請求項６】
前記コモンモード調光器は、前記第２のモードから前記第１のモードに変更する前に、前記コモンモード電圧を前記高コモンモード基準電圧と前記低コモンモード基準電圧との間に戻すように構成されている、請求項１〜５のいずれか一項に記載の適応型コモンモード調光器。
【請求項７】
前記コモンモード電圧が前記所望のコモンモード基準電圧を上回るとき、前記コモンモード調光器は、前記２線式伝送線から接地又は共通電源へと電流を吸い込むように構成されている、請求項１〜６のいずれか一項に記載の適応型コモンモード調光器。
【請求項８】
前記コモンモード電圧が前記所望のコモンモード基準電圧を下回るとき、前記コモンモード調光器は、前記２線式伝送線へと前記電源電圧から電流を吐き出すように構成されている、請求項１〜７のいずれか一項に記載の適応型コモンモード調光器。
【請求項９】
適応型コモンモード調光器であって、
電源電圧と２線式伝送線との間に結合された第１の組の電流ドライバと、
接地又は共通電源と前記２線式伝送線との間に結合された第２の組の電流ドライバと、
第１及び第２の電圧比較器であって、
それぞれ、前記第１及び第２の組の電流ドライバに結合され、前記第１及び第２の組の電流ドライバを制御する出力と、
前記２線式伝送線に結合された第１の入力と、
第１の基準電圧に結合された第２の入力であって、前記第１の基準電圧が、前記電源電圧より小さく、かつ前記接地又は共通電源より大きい、第２の入力と、を含む、第１及び第２の電圧比較器と、を備え、
前記２線式伝送線上のコモンモード電圧が前記第１の基準電圧より大きいとき、前記第２の組の電流ドライバは、前記第１の組の電流ドライバが吐き出す電流より多くの電流を吸い込むように構成されており、
前記２線式伝送線上の前記コモンモード電圧が前記第１の基準電圧より小さいとき、前記第１の組の電流ドライバは、前記第２の組の電流ドライバが吸い込む電流より多くの電流を吐き出すように構成されており、
前記適応型コモンモード調光器は、
第３の電圧比較器であって、
第２の基準電圧に結合された第１の入力と、
前記２線式伝送線に結合されるように構成された第２の入力と、
前記コモンモード電圧が前記第２の基準電圧より大きいときに、それらの動作静止電流を増加させるように構成された前記第２の組の電流ドライバに結合された出力であって、前記第２の基準電圧が前記第１の基準電圧より大きい、出力と、を含む、第３の電圧比較器と、
第４の電圧比較器であって、
第３の基準電圧に結合された第１の入力と、
前記２線式伝送線に結合された第２の入力と、
前記コモンモード電圧が前記第３の基準電圧より小さいときに、それらの動作静止電流を増加させるように構成された前記第１の組の電流ドライバに結合された出力であって、前記第３の基準電圧が前記第１の基準電圧より小さい、出力と、を含む、第４の電圧比較器と、を更に備える、適応型コモンモード調光器。
【請求項１０】
前記第１の基準電圧は、前記電源電圧の約１／２である、請求項９に記載の適応型コモンモード調光器。
【請求項１１】
前記第４の電圧比較器の前記出力と前記第１の組の電流ドライバとの間に第１のバッファトランジスタを更に備える、請求項９又は１０に記載の適応型コモンモード調光器。
【請求項１２】
前記第３の電圧比較器の前記出力と前記第２の組の電流ドライバとの間に第２のバッファトランジスタを更に備える、請求項９〜１１のいずれか一項に記載の適応型コモンモード調光器。
【請求項１３】
低い動作静止電流モード及び高い動作静止電流モードを有する適応型コモンモード調光器を含む、差動伝送線上で信号を伝送するためのシステムであって、
差動信号送信機に結合された第１の適応型コモンモード調光器を含む前記差動信号送信機と、
差動信号受信機に結合された第２の適応型コモンモード調光器を含む前記差動信号受信機と、
前記差動信号送信機及び前記差動信号受信機を結合する差動信号伝送線と、を備え、
前記第１及び第２の適応型コモンモード調光器は、請求項１〜１２に記載の前記適応型コモンモード調光器のうちのいずれかに従って実装される、システム。
【請求項１４】
低い動作静止電流モード及び高い動作静止電流モードを含む適応型コモンモード調光器を使用することによって、差動信号伝送線上のコモンモード電圧を低減するための方法であって、請求項１〜１３に記載の前記適応型コモンモード調光器のうちのいずれかの動作ステップを含む、方法。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
復調基準信号(DMRS)シーケンスに埋め込まれたアップリンク制御情報(UCI)を通信する方法であって、
特定のUCIを通信することを決定するステップと、
アップリンクメッセージにおいて使用されるべき第1のDMRSシーケンスを複数のDMRSシーケンスから選択するステップであって、
前記第1のDMRSシーケンスが前記特定のUCIに対応する、ステップと、
いくつかのパイロットサブシーケンスから、前記第1のDMRSシーケンスに埋め込むために第1のパイロットサブシーケンスを選択するステップであって、
前記第1のパイロットサブシーケンスが前記特定のUCIに対応する、ステップと、
物理チャネルを介して前記第1のDMRSシーケンスを含む前記アップリンクメッセージを送信するステップであって、
前記第1のDMRSシーケンスが、前記特定のUCIと前記第1のパイロットサブシーケンスとを含む、ステップと
を備える、方法。
【請求項２】
前記UCIが、ハイブリッド自動再送要求(HARQ)肯定応答(ACK)、HARQ否定応答(NACK)、スケジューリング要求(SR)、またはチャネル状態情報(CSI)のうちの1つまたは複数を含む、請求項1に記載の方法。
【請求項３】
前記複数のDMRSシーケンスが、UCIのlog2(N)個のビットを通信するように構成されるN個のDMRSシーケンスのセットを備える、請求項1に記載の方法。
【請求項４】
前記第1のDMRSシーケンスが、メモリデバイスに記憶されているルックアップテーブルから選択される、請求項1に記載の方法。
【請求項５】
前記ルックアップテーブルが、前記第1のDMRSシーケンスと前記特定のUCIとの間の1対1の対応付けを備える、請求項4に記載の方法。
【請求項６】
前記複数のDMRSシーケンスと、前記複数のDMRSシーケンスの各々に対応する1つまたは複数のUCIとを含む、ルックアップテーブルを備えるDMRS情報を受信するステップと、
前記DMRS情報をメモリデバイスに記憶するステップと
をさらに備える、請求項1に記載の方法。
【請求項７】
前記第1のDMRSシーケンスが複数のUCIにさらに対応し、
前記第1のパイロットサブシーケンスが、固有であり、かつ前記第1のDMRSシーケンスの前記複数のUCIのうちの固有の1つに対応する、請求項1に記載の方法。
【請求項８】
復調基準信号(DMRS)に埋め込まれたアップリンク制御情報(UCI)のワイヤレス通信のための装置であって、
トランシーバと、
メモリと、
前記トランシーバおよび前記メモリに通信可能に結合された少なくとも1つのプロセッサと
を備え、前記少なくとも1つのプロセッサが、
特定のUCIを通信することを決定することと、
アップリンクメッセージにおいて使用されるべき第1のDMRSシーケンスを前記メモリに記憶されている複数のDMRSシーケンスから選択することであって、
前記第1のDMRSシーケンスが前記特定のUCIに対応する、選択することと、
いくつかのパイロットサブシーケンスから、前記第1のDMRSシーケンスに埋め込むために第1のパイロットサブシーケンスを選択することであって、
前記第1のパイロットサブシーケンスが前記特定のUCIに対応する、選択することと、
前記トランシーバを介して、物理チャネルを介して前記第1のDMRSシーケンスを含む前記アップリンクメッセージを送信することであって、
前記第1のDMRSシーケンスが、前記特定のUCIと前記第1のパイロットサブシーケンスとを含む、送信することと
を行うように構成される、装置。
【請求項９】
制御情報を受信するための方法であって、
DMRSシーケンスを備えるアップリンクメッセージを受信するステップであって、
前記DMRSシーケンスが、特定のアップリンク制御情報(UCI)とパイロットサブシーケンスとを含み、
前記DMRSシーケンスと前記パイロットサブシーケンスとが、前記特定のUCIに対応する、ステップと、
前記特定のUCIに対応する前記DMRSシーケンスと前記パイロットサブシーケンスとに基づいて前記特定のUCIを決定するステップと
を備える、方法。
【請求項１０】
前記UCIが、ハイブリッド自動再送要求(HARQ)肯定応答(ACK)、HARQ否定応答(NACK)、スケジューリング要求(SR)、またはチャネル状態情報(CSI)のうちの1つまたは複数を含む、請求項9に記載の方法。
【請求項１１】
前記DMRSシーケンスに基づいて前記UCIを決定するステップがさらに、メモリデバイスに記憶されているルックアップテーブルに基づいて、前記DMRSシーケンスと前記UCIとの間の対応付けを確認するステップを備える、請求項9に記載の方法。
【請求項１２】
前記ルックアップテーブルが、前記DMRSシーケンスと前記特定のUCIとの間の1対1の対応付けを備える、請求項11に記載の方法。
【請求項１３】
制御情報を受信するための装置であって、
トランシーバと、
メモリと、
前記トランシーバおよび前記メモリに通信可能に結合された少なくとも1つのプロセッサと
を備え、前記少なくとも1つのプロセッサおよび前記メモリが、
DMRSシーケンスを備えるアップリンクメッセージを受信することであって、
前記DMRSシーケンスが、特定のアップリンク制御情報(UCI)とパイロットサブシーケンスとを含み、
前記DMRSシーケンスと前記パイロットサブシーケンスとが、前記特定のUCIに対応する、受信することと、
前記特定のUCIに対応する前記DMRSシーケンスと前記パイロットサブシーケンスとに基づいて前記特定のUCIを決定することと
ように構成される、装置。
【請求項１４】
前記UCIが、ハイブリッド自動再送要求(HARQ)肯定応答(ACK)、HARQ否定応答(NACK)、スケジューリング要求(SR)、またはチャネル状態情報(CSI)のうちの1つまたは複数を含む、請求項13に記載の装置。
【請求項１５】
ルックアップテーブルが、前記DMRSシーケンスと前記特定のUCIとの間の1対1の対応付けを備える、請求項13に記載の装置。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
アクセスポイント及び局を備えるワイヤレスネットワークにおけるワイヤレス通信方法であって、該アクセスポイントとアソシエートする任意の局が、該アクセスポイントに許可された送信機会において該局にリソースユニットを割り当てるために該アクセスポイントによって使用される固有アソシエーション識別子を割り当てられ、該方法は、該局のうちの１つにおいて、
前記アクセスポイントに許可された送信機会内で前記アクセスポイントからのマルチユーザーダウンリンク送信に含まれる複数のダウンリンクリソースユニットから、前記アクセスポイントとアソシエートされていない局のために予約されるアソシエーション識別子に割り当てられるダウンリンクリソースユニットを決定するステップと、
前記決定されたダウンリンクリソースユニット上で前記アクセスポイントからフレームを受信するステップと、
を含む、方法。
【請求項２】
前記局において、前記アクセスポイントに許可された送信機会内で前記アクセスポイントに向かうマルチユーザーアップリンク送信において与えられる複数のアップリンクリソースのうちの１つのアップリンクリソースユニットを用いて、前記アクセスポイントにフレームを送信することを更に含み、前記複数のアップリンクリソースユニットは配分方式に従って配分され、
前記アクセスポイントとアソシエートされていない局のために予約されるアソシエーション識別子に割り当てられる前記ダウンリンクリソースユニットの決定は、さらに前記アップリンクリソースユニットの少なくとも１つの配分方式特性に基づく、請求項１に記載の方法。
【請求項３】
前記ダウンリンクリソースユニットを決定することは、前記マルチユーザーダウンリンク送信において、前記アクセスポイントとアソシエートされていない局のために予約される前記アソシエーション識別子に割り当てられるダウンリンクリソースユニットの数に基づく、請求項１に記載の方法。
【請求項４】
ダウンリンクリソースユニットの前記数が１である場合、前記アクセスポイントとアソシエートされていない局のために予約される前記アソシエーション識別子に割り当てられる単一のダウンリンクリソースユニットが、前記フレームを受信するための前記決定されたダウンリンクリソースユニットとして選択される、請求項３に記載の方法。
【請求項５】
ダウンリンクリソースユニットの前記数が２以上である場合、前記アクセスポイントとアソシエートされていない局のために予約される前記アソシエーション識別子に割り当てられる１つのダウンリンクリソースユニットが、前記フレームを受信するための前記決定されたダウンリンクリソースユニットとして選択され、前記選択することは、前記アクセスポイントにフレームを送信するために前記局によって使用されるアップリンクリソースユニットの少なくとも１つの配分方式特性に基づく、請求項３に記載の方法。
【請求項６】
前記アップリンクリソースユニットは、前記アクセスポイントに許可された送信機会内で前記アクセスポイントに向かうマルチユーザーアップリンク送信において与えられる複数のアップリンクリソースユニットの中の１つであり、前記複数のアップリンクリソースユニットは或る配分方式に従って配分される、請求項５に記載の方法。
【請求項７】
前記局において、前記フレームを復号する前に、前記決定されたダウンリンクリソースユニットにおいて受信される前記フレームが前記局にアドレッシングされるか否かをチェックすることを更に含む、請求項１に記載の方法。
【請求項８】
前記決定するステップにおいて、複数のダウンリンクリソースユニットが決定され、前記方法は、前記複数の決定されたダウンリンクリソースユニットのうちの１つから１つ以上のデータフレームを取り出すことを更に含む、請求項１に記載の方法。
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
対象における虚血組織の血流または灌流を増加させる剤であって、Ｅ−セレクチンをコードするヌクレオチド配列、ＡＡＶ血清型２（ＡＡＶ２）逆方向末端反復配列（ＩＴＲ）、および血清型２以外のＡＡＶからのカプシドを含むハイブリッドアデノ随伴ウイルス（ＡＡＶ）を、前記虚血組織の前記血流または灌流を増加させるために有効な量で含む、剤。
【請求項２】
対象における虚血組織に血管新生、新血管新生、または血管再建を誘導する剤であって、Ｅ−セレクチンをコードするヌクレオチド配列、ＡＡＶ血清型２（ＡＡＶ２）逆方向末端反復配列（ＩＴＲ）、および血清型２以外のＡＡＶからのカプシドを含むハイブリッドアデノ随伴ウイルス（ＡＡＶ）を、前記虚血組織に血管新生、新血管新生、または血管再建を誘導するために有効な量で含む、剤。
【請求項３】
対象における骨格筋の生存率を増加させる剤であって、Ｅ−セレクチンをコードするヌクレオチド配列、ＡＡＶ血清型２（ＡＡＶ２）逆方向末端反復配列（ＩＴＲ）、および血清型２以外のＡＡＶからのカプシドを含むハイブリッドアデノ随伴ウイルス（ＡＡＶ）を、前記骨格筋の生存率を増加させるために有効な量で含む、剤。
【請求項４】
対象における虚血性皮膚創傷治癒を促進する剤であって、Ｅ−セレクチンをコードするヌクレオチド配列、ＡＡＶ血清型２（ＡＡＶ２）逆方向末端反復配列（ＩＴＲ）、および血清型２以外のＡＡＶからのカプシドを含むハイブリッドアデノ随伴ウイルス（ＡＡＶ）を、虚血性皮膚創傷治癒を促進するために有効な量で含む、剤。
【請求項５】
対象における壊疽を治療または予防する剤であって、Ｅ−セレクチンをコードするヌクレオチド配列、ＡＡＶ血清型２（ＡＡＶ２）逆方向末端反復配列（ＩＴＲ）、および血清型２以外のＡＡＶからのカプシドを含むハイブリッドアデノ随伴ウイルス（ＡＡＶ）を、前記対象における壊疽を治療または予防するために有効な量で含む、剤。
【請求項６】
前記対象が、重症肢虚血（ＣＬＩ）を有する、請求項１〜５のいずれか一項に記載の剤。
【請求項７】
対象における重症肢虚血（ＣＬＩ）を治療する剤であって、Ｅ−セレクチンをコードするヌクレオチド配列、ＡＡＶ血清型２（ＡＡＶ２）逆方向末端反復配列（ＩＴＲ）、および血清型２以外のＡＡＶからのカプシドを含むハイブリッドアデノ随伴ウイルス（ＡＡＶ）を、ＣＬＩを治療するために有効な量で含む、剤。
【請求項８】
前記対象が、末梢動脈疾患（ＰＡＤ）を有する、請求項１〜７のいずれか一項に記載の剤。
【請求項９】
前記カプシドが、ＡＡＶ血清型８カプシドであり、前記ハイブリッドＡＡＶが、ＡＡＶ２／８である、請求項１〜８のいずれか一項に記載の剤。
【請求項１０】
前記カプシドが、ＡＡＶ血清型９カプシドであり、前記ハイブリッドＡＡＶが、ＡＡＶ２／９である、請求項１〜８のいずれか一項に記載の剤。
【請求項１１】
前記ＡＡＶが、前記骨格筋の前記虚血組織に筋肉内投与される、請求項１〜１０のいずれか一項に記載の剤。
【請求項１２】
対象における虚血組織の血流または灌流を増加させる剤であって、前記虚血組織の前記血流または灌流を増加させるために有効な量で、Ｅ−セレクチンをコードするヌクレオチド配列、ＡＡＶ血清型２（ＡＡＶ２）逆方向末端反復配列（ＩＴＲ）、およびＡＡＶ２カプシドを含むアデノ随伴ウイルス（ＡＡＶ）を含む細胞を含む、剤。
【請求項１３】
対象における虚血組織に血管新生、新血管新生、または血管再建を誘導する剤であって、前記虚血組織に血管新生、新血管新生、または血管再建を誘導するために有効な量で、Ｅ−セレクチンをコードするヌクレオチド配列、ＡＡＶ血清型２（ＡＡＶ２）逆方向末端反復配列（ＩＴＲ）、およびＡＡＶ２カプシドを含むアデノ随伴ウイルス（ＡＡＶ）を含む細胞を含む、剤。
【請求項１４】
対象における虚血性皮膚創傷治癒を促進する剤であって、虚血性皮膚創傷治癒を促進するために有効な量で、Ｅ−セレクチンをコードするヌクレオチド配列、ＡＡＶ血清型２（ＡＡＶ２）逆方向末端反復配列（ＩＴＲ）、およびＡＡＶ２カプシドを含むアデノ随伴ウイルス（ＡＡＶ）を含む細胞を含む、剤。
【請求項１５】
対象における壊疽を治療または予防する剤であって、前記対象における壊疽を治療または予防するために有効な量で、Ｅ−セレクチンをコードするヌクレオチド配列、ＡＡＶ血清型２（ＡＡＶ２）逆方向末端反復配列（ＩＴＲ）、およびＡＡＶ２カプシドを含むアデノ随伴ウイルス（ＡＡＶ）を含む細胞を含む、剤。
【請求項１６】
前記対象が、重症肢虚血（ＣＬＩ）を有する、請求項１２〜１５のいずれか一項に記載の剤。
【請求項１７】
対象における重症肢虚血（ＣＬＩ）を治療する剤であって、前記対象における前記ＣＬＩを治療するために有効な量で、Ｅ−セレクチンをコードするヌクレオチド配列、ＡＡＶ血清型２（ＡＡＶ２）逆方向末端反復配列（ＩＴＲ）、およびＡＡＶ２カプシドを含むアデノ随伴ウイルス（ＡＡＶ）を含む細胞を含む、剤。
【請求項１８】
前記対象が、末梢動脈疾患（ＰＡＤ）を有する、請求項１２〜１７のいずれか一項に記載の剤。
【請求項１９】
前記細胞が、幹細胞である、請求項１２〜１８のいずれか一項に記載の剤。
【請求項２０】
前記細胞が、間葉系幹細胞（ＭＳＣ）、骨髄（ＢＭ）由来前駆細胞、または内皮前駆細胞（ＥＰＣ）である、請求項１９に記載の剤。
【請求項２１】
前記細胞が、対象の自己細胞である、請求項１２〜２０のいずれか一項に記載の剤。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
上皮成長因子受容体（ＥＧＦＲ）シグナル伝達の阻害剤を含み、前記ＥＧＦＲシグナル伝達の阻害剤が、ＥＧＦＲ、Ｒａｓ、Ｒａｆ、ＭＥＫ、ＥＲＫ／ＭＡＰＫ、ＪＡＫ、ＳＴＡＴ、ＡＫＴ、ＮＣＫ、ＰＡＫ、ＪＮＫ、ＰＬＣ、ＰＫＣ、または細胞周期関連タンパク質キナーゼ阻害剤の発現または活性を阻害する、難聴の治療または予防のための医薬。
【請求項２】
無調関連因子（ａｔｏｎａｌ−ａｓｓｏｃｉａｔｅｄ  ｆａｃｔｏｒ）をコードする核酸分子を持つ発現ベクターを投与することをさらに含む、請求項１に記載の医薬。
【請求項３】
１つ以上の耳保護剤または再生剤を投与することをさらに含む、請求項１に記載の医薬。
【請求項４】
前記ＥＧＦＲシグナル伝達の阻害剤が、ムブリチニブ及びペリチニブからなる群から選択される、請求項１に記載の医薬。
【請求項５】
前記細胞周期関連タンパク質キナーゼが、Ｈｅｒ−２、オーロラキナーゼ、Ｂ−Ｒａｆ、またはＰＤＧＦＲである、請求項１に記載の医薬。
【請求項６】
前記阻害剤が、阻害性ＲＮＡ、抗体、または小有機分子である、請求項１に記載の医薬。
【請求項７】
活性無調関連因子タンパク質をコードする核酸分子と、
（ｉ）上皮成長因子受容体（ＥＧＦＲ）シグナル伝達の阻害剤をコードする核酸分子、
（ｉｉ）単離されたＥＧＦＲシグナル伝達の阻害剤、または
（ｉｉｉ））（ｉ）および（ｉｉ）の組み合わせと、を含む、キット。
【請求項８】
前記ＥＧＦＲシグナル伝達の阻害剤が、ＥＧＦＲ、Ｒａｓ、Ｒａｆ、ＭＥＫ、ＥＲＫ／ＭＡＰＫ、ＪＡＫ、ＳＴＡＴ、ＰＩ３Ｋ、ＡＫＴ、ＮＣＫ、ＰＡＫ、ＪＮＫ、ＰＬＣ、ＰＫＣ、または細胞周期関連タンパク質キナーゼ阻害剤の発現または活性を阻害する、請求項７に記載のキット。
【請求項９】
前記阻害剤が、阻害性ＲＮＡ、抗体、または小有機分子である、請求項７に記載のキット。
【請求項１０】
１つ以上の再生剤をさらに含む、請求項７に記載のキット。
【請求項１１】
前記上皮成長因子受容体（ＥＧＦＲ）の阻害剤が、ムブリチニブ及びペリチニブからなる群から選択される、請求項７に記載のキット。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
ヒト被験体の初期糖尿病性網膜症又は糖尿病性黄斑浮腫を治療又は予防する方法における使用のための、以下から選択される化合物：
（２Ｓ，４Ｒ）−１−（２−アミノアセチル）−４−ベンゾイルアミノ−ピロリジン−２−カルボン酸；及び
Ａｃ−ＤＴｙｒ−ＤＰｒｏ−ＤＨｙｐ−Ｇｌｙ−ＤＡｌａ−Ｇｌｙ−ＮＨ２；
又はその薬学的に許容可能な塩若しくは水和物であって、
前記方法が、前記被験体に治療有効量の前記化合物、又はその薬学的に許容可能な塩若しくは水和物を投与することを含む、化合物。
【請求項２】
前記化合物が、（２Ｓ，４Ｒ）−１−（２−アミノアセチル）−４−ベンゾイルアミノ−ピロリジン−２−カルボン酸、又はその薬学的に許容可能な塩若しくは水和物である、請求項１に記載の治療又は予防方法における使用のための化合物。
【請求項３】
前記方法が、ヒト被験体における初期糖尿病性網膜症又は糖尿病性黄斑浮腫の予防のためである、請求項１に記載の治療又は予防の方法における使用のための化合物。
【請求項４】
前記糖尿病性網膜症が、軽度の非増殖性網膜症又は中等度の非増殖性網膜症である、請求項１〜３のいずれか１項に記載の治療又は予防の方法における使用のための化合物。
【請求項５】
前記化合物が、糖尿病性黄斑浮腫の治療又は予防で使用するためのものである、請求項１又は２に記載の治療又は予防の方法における使用のための化合物。
【請求項６】
患者が血糖コントロールのもとにおかれるため、前記化合物が、慢性的に高い血糖値を有する前記患者の予防的治療のためのものである、請求項１又は２に記載の治療又は予防の方法における使用のための化合物。
【請求項７】
前記化合物が、前記網膜における周皮細胞の喪失を阻止する、請求項１〜６のいずれか１項に記載の治療又は予防の方法における使用のための化合物。
【請求項８】
前記化合物が、前記網膜における血管漏出を阻止する、請求項１〜７のいずれか１項に記載の治療又は予防の方法における使用のための化合物。
【請求項９】
前記化合物が、網膜内皮細胞のアポトーシスを阻止する、請求項１〜８のいずれか１項に記載の治療又は予防の方法における使用のための化合物。
【請求項１０】
前記患者が、１型糖尿病、２型糖尿病又は妊娠糖尿病を患っている、請求項１〜９のいずれか１項に記載の治療又は予防の方法における使用のための化合物。
【請求項１１】
前記投与される化合物、又はその薬学的に許容可能な塩若しくは水和物の濃度が、網膜血管の微小環境において５０ｎＭ〜１００ｎＭに達する、請求項１〜１０のいずれか１項に記載の治療又は予防の方法における使用のための化合物。
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
血管バリアを処置する方法のための医薬の製造におけるノリンの使用であって、該方法は：
ノリンに血管を暴露する工程；および
前記ノリンに十分な時間、ＢＭＰ２、ＣＬＣＬ６、ＩＬ１２Ｂ、ＳＥＬＰＬＧ、ＣＸ３ＣＬ１、ＣＡＳＰ３、ＴＨＢＤ、ＣＯＬ１８Ａ１、ＣＰＢ２、ＮＰＲ１、ＢＭＰ２、ＣＬＣＬ６、ＩＬ１２Ｂ、ＳＥＬＰＬＧ、ＣＸ３ＣＬ１、ＣＡＳＰ３、ＴＨＢＤ、ＣＯＬ１８Ａ１、ＣＰＢ２、ＮＰＲ１、ＣＬＤＮ５、ＣＬＤ３、ＰＩＧＦ、ＢＤＮＦ、ＣＮＴＦ、ＶＥＧＦ−Ａ、ＣＡＭ−１、ＰＧＦ、ＦＯＸ−０１、ＦＯＸ−０４、ＰＤＧＦＢ、ＴＧＦＡ、ＨＧＦ、ＶＥ−カドヘリン、またはＰＬＡＵの少なくとも１つの遺伝子の遺伝子発現を調節させる工程、
を含む、使用。
【請求項２】
前記遺伝子のすべてが、前記ノリンによって調節される、請求項１に記載の使用。
【請求項３】
血管バリアは、被験体のインビボの網膜血管である、請求項１に記載の使用。
【請求項４】
被験体は、加齢黄斑変性または増殖性網膜症を有する、請求項３に記載の使用。
【請求項５】
暴露する工程は、眼内注入によるものである、請求項３に記載の使用。
【請求項６】
暴露する工程は、全身性の投与によるものである、請求項３に記載の使用。
【請求項７】
前記被験体はヒトである、請求項３に記載の使用。
【請求項８】
前記被験体は、ウシ、ウマ、ヒツジ、ブタ、ヤギ、ニワトリ、ネコ、イヌ、マウス、モルモット、ハムスター、ウサギ、ラット、または前述のものの１つに由来する細胞のうちの１つである、請求項３に記載の使用。
【請求項９】
前記ノリンは、ＳＥＱ  ＩＤ．ＮＯ．２のポリペプチドである、請求項１−８のいずれか１つに記載の使用。
【請求項１０】
前記ノリンは、網膜血管細胞のｆｒｉｚｚｌｅｄ−４受容体を結合する、ＳＥＱ  ＩＤ．ＮＯ．１のフラグメントである、請求項１−８のいずれか１つに記載の使用。
【請求項１１】
前記ノリンは組換えである、請求項１−８のいずれか１つに記載の使用。
【請求項１２】
前記ノリンに十分な時間、遺伝子発現を調節させた後に、網膜血管細胞に染料を接触させる工程をさらに含む、請求項１−８のいずれか１つに記載の使用。
【請求項１３】
前記染料はエバンスブルー染料またはフルオレセインである、請求項１２に記載の使用。